(57)【要約】【課題】コードを傷つけることなく、コードの絡まりを防止するようにしたイヤホンを提供する。【解決手段】プラグに接続されたプラグコードが分岐部において二股に分岐し、二股に分岐したコードがイヤホン本体に接続されるイヤホンにおいて、プラグコードにおけるプラグとの接続部分の近傍に配置され、分岐部において二股に分岐したコードを挟持することができるホルダーと、上記プラグコード上に配設されるバンドとを有するようにした。【選択図】        図２
2011082884.tif 000002
【特許請求の範囲】
【請求項１】
プラグに接続されたプラグコードが分岐部において二股に分岐し、二股に分岐したコードがイヤホン本体に接続されるイヤホンにおいて、
プラグコードにおけるプラグとの接続部分の近傍に配置され、分岐部において二股に分岐したコードを挟持することができるホルダーと、
前記プラグコード上に配設されるバンドと
を有することを特徴とするイヤホン。
【請求項２】
請求項１に記載のイヤホンにおいて、
前記ホルダーは、
弾性部材により形成され、前記プラグコードにおける前記プラグとの接続部分の近傍に固定的に配設される接続部と、
前記接続部に固定的に配設されるとともに、前記接続部と前記コードを挟持する固定部と
を有することを特徴とするイヤホン。
【請求項３】
請求項１に記載のイヤホンにおいて、
前記ホルダーは、
弾性部材により形成され、前記プラグコードにおける前記プラグとの接続部分の近傍に着脱可能に形成された接続部と、
前記接続部に固定的に配設されるとともに、前記接続部と前記コードを挟持する固定部と
を有することを特徴とするイヤホン。
【請求項４】
請求項２または３のいずれか１項に記載のイヤホンにおいて、
前記ホルダーは、さらに、
前記固定部に配設される装飾具と
を有することを特徴とするイヤホン。
【請求項５】
請求項２、３または４のいずれか１項に記載のイヤホンにおいて、
前記固定部は、弾性を有する金属により形成される
ことを特徴とするイヤホン。
【請求項６】
請求項５に記載のイヤホンにおいて、
前記固定部は、超弾性効果を有する形状記憶合金材料により形成される
ことを特徴とするイヤホン。
【請求項７】
請求項２、３または４のいずれか１項に記載のイヤホンにおいて、
前記固定部は、スチールワイヤーにより形成される
ことを特徴とするイヤホン。
【請求項８】
請求項１に記載のイヤホンにおいて、
前記ホルダーは、樹脂材料により形成され、
前記プラグコードにおける前記プラグとの接続部分の近傍に固定的に配設される接続部と、
前記接続部と一体的に形成され、前記接続部と前記コードを挟持する固定部と
を有することを特徴とするイヤホン。
【請求項９】
請求項１に記載のイヤホンにおいて、
前記ホルダーは、樹脂材料により形成され、
前記プラグコードにおける前記プラグとの接続部分の近傍に着脱可能に形成される接続部と、
前記接続部と一体的に形成され、前記接続部と前記コードを挟持する固定部と
を有することを特徴とするイヤホン。
【請求項１０】
請求項１、２、３、４、５、６、７、８または９のいずれか１項に記載のイヤホンにおいて、
前記コードを通電性の超弾性効果を有する形状記憶合金材料により形成するとともに、前記コードの一部をコイル状に形成し、
分岐部または前記コードにおけるコイル状に形成された部分の分岐部に最も近い位置に錘を配設する
ことを特徴とするイヤホン。
【請求項１１】
請求項１、２、３、４、５、６、７、８または９のいずれか１項に記載のイヤホンにおいて、
前記コードを銅線と非通電性の形状記憶合金材料とにより形成するとともに、前記コードの一部をコイル状に形成し、
分岐部または前記コードにおけるコイル状に形成された部分の分岐部に最も近い位置に錘を配設する
ことを特徴とするイヤホン。
【発明の詳細な説明】
【技術分野】
【０００１】
本発明は、イヤホンに関し、さらに詳細には、コードの絡まりを防止するイヤホンに関する。
【背景技術】
【０００２】
従来より、携帯用音楽再生機器などに使用されるイヤホンは、図１（ａ）に示すように、携帯用音楽再生機器などのイヤホンを使用する対象となる機器（以下、「イヤホンを使用する対象となる機器」を、単に、「対象機器」と称することとする。）に挿入されるプラグ１０２と、一方の端部１０４ａがプラグ１０２に接続されたプラグコード１０４と、プラグコード１０４の他方の端部１０４ｂに設けられた分岐部１０６より分岐され、それぞれイヤホン本体１０８、１１０に接続されるコード１１２、１１４とを有して構成されている。
【０００３】
こうしたイヤホン１００は、使用しない際には、対象機器から取り外されて、小さくまとめてカバンやポケットの中などに収納したり、対象機器に取り付けたまま、当該対象機器に巻き付けられてカバンやポケットなどに収納される。
【０００４】
しかしながら、こうしてカバンやポケットに収納されたイヤホン１００は、対象機器の使用者の移動などに伴う振動により、コード１１２、１１４やプラグコード１０４が小さくまとめられた状態や対象機器に巻き付けられた状態から動いてしまい、その結果、コード１１２、１１４やプラグコード１０４が互いに絡まってしまうことがあり、こうした絡まりを解消する作業が面倒であった。
【０００５】
こうした問題点を解決する従来技術として、例えば、特許文献１に記載されている技術が知られている。
【０００６】
ここで、図１（ｂ）を参照しながら、特許文献１について説明するが、以下の説明においては、図１（ａ）を参照しながら説明したイヤホン１００と同一の構成または相当する構成については、上記において用いた符号と同一の符号を用いて示すことにより、その詳細な構成ならびに作用効果の説明は適宜に省略することとする。
【０００７】
この特許文献１に記載されているイヤホン２００は、コード１１２、１１４を束ねるホルダー２０２を備えており、イヤホン２００を使用する際には、ホルダー２０２を分岐部１０６の近傍に位置するようにし、イヤホン２００を使用しない際には、ホルダー２０２を分岐部１０６の近傍からイヤホン本体１０８、１１０の近傍に移動させてコード１１２、１１４を束ねることにより、コード１１２とコード１１４とが絡まることを防止するようにするとともに、ホルダー２０２内のコードを挿入する孔に柔軟性のある部材を設けることにより、コード１１２、１１４がホルダー２０２と接触することによってコードを痛めることがないようにしたものである。
【０００８】
しかしながら、イヤホン２００においては、ホルダー２０２内のコードを挿入する孔に柔軟性のある部材を設けることにより、ホルダー２０２によりコードを傷つけることを防ぐようにしているが、コード１１２、１１４上をホルダー２０２が移動するように構成されているため、使用者がホルダー２０２を移動させる際に、爪などによりコードを傷つけてしまう場合があり、こうした点が問題点として指摘されていた。
【０００９】
また、コード１１２とコード１１４とをホルダー２０２により束ねることによって、コード１１２とコード１１４との絡まりを防止することができるようになったが、依然として、携帯用音楽再生機器などの対象機器から取り外して小さくまとめて収納する場合や、携帯用音楽再生機器などの対象機器に取り付けたまま、当該対象機器に巻き付けて収納する場合には、対象機器の使用者の移動などに伴う振動により、コード１１２、１１４やプラグコード１０４が小さくまとめられた状態や対象機器に巻き付けられた状態から動いてしまって、コード１１２、コード１１４およびプラグコード１０４同士が絡まってしまう場合があり、問題点として指摘されていた。
【先行技術文献】
【特許文献】
【００１０】
実用新案登録第３１０８９９７号
【発明の概要】
【発明が解決しようとする課題】
【００１１】
本発明は、上記した従来の技術の有する種々の問題点に鑑みてなされたものであり、その目的とするところは、コードを傷つけずに、コードの絡まりを防止するようにしたイヤホンを提供しようとするものである。
【課題を解決するための手段】
【００１２】
上記目的を達成するために、本発明は、プラグに接続されたプラグコードが分岐部において二股に分岐し、二股に分岐したコードがイヤホン本体に接続されるイヤホンにおいて、プラグコードにおけるプラグとの接続部分の近傍に配置され、分岐部において二股に分岐したコードを挟持することができるホルダーと、上記プラグコード上に配設されるバンドとを有するようにしたものである。
【００１３】
また、本発明は、上記した発明において、上記ホルダーは、弾性部材により形成され、上記プラグコードにおける上記プラグとの接続部分の近傍に固定的に配設される接続部と、上記接続部に固定的に配設されるとともに、上記接続部と上記コードを挟持する固定部とを有するようにしたものである。
【００１４】
また、本発明は、上記した発明において、上記ホルダーは、弾性部材により形成され、上記プラグコードにおける上記プラグとの接続部分の近傍に着脱可能に形成された接続部と、上記接続部に固定的に配設されるとともに、上記接続部と上記コードを挟持する固定部とを有するようにしたものである。
【００１５】
また、本発明は、上記した発明において、上記ホルダーは、さらに、上記固定部に配設される装飾具とを有するようにしたものである。
【００１６】
また、本発明は、上記した発明において、上記固定部は、弾性を有する金属により形成されるようにしたものである。
【００１７】
また、本発明は、上記した発明において、上記固定部は、超弾性効果を有する形状記憶合金材料により形成されるようにしたものである。
【００１８】
また、本発明は、上記した発明において、上記固定部は、スチールワイヤーにより形成されるようにしたものである。
【００１９】
また、本発明は、上記した発明において、上記ホルダーは、樹脂材料により形成され、上記プラグコードにおける上記プラグとの接続部分の近傍に固定的に配設される接続部と、上記接続部と一体的に形成され、上記接続部と上記コードを挟持する固定部とを有するようにしたものである。
【００２０】
また、本発明は、上記した発明において、上記ホルダーは、樹脂材料により形成され、上記プラグコードにおける上記プラグとの接続部分の近傍に着脱可能に形成される接続部と、上記接続部と一体的に形成され、上記接続部と上記コードを挟持する固定部とを有するようにしたものである。
【００２１】
また、本発明は、上記した発明において、上記コードを通電性の超弾性効果を有する形状記憶合金材料により形成するとともに、上記コードの一部をコイル状に形成し、分岐部または上記コードにおけるコイル状に形成された部分の分岐部に最も近い位置に錘を配設するようにしたものである。
【００２２】
また、本発明は、上記した発明において、上記コードを銅線と非通電性の形状記憶合金材料とにより形成するとともに、上記コードの一部をコイル状に形成し、分岐部または上記コードにおけるコイル状に形成された部分の分岐部に最も近い位置に錘を配設するようにしたものである。
【発明の効果】
【００２３】
本発明は、以上説明したように構成されているので、コードを傷つけずに、コードの絡まりを防止するという優れた効果を奏するものである。
【図面の簡単な説明】
【００２４】
【図１】図１（ａ）（ｂ）は、従来の技術によるイヤホンの概略構成説明図である。
【図２】図２は、本発明の第１の実施の形態によるイヤホンの概略構成説明図である。
【図３】図３（ａ）は、本発明の第１の実施の形態によるイヤホンの要部を拡大した概略構成斜視説明図であり、また、図３（ｂ）は、図３（ａ）のホルダーの端面図であり、また、図３（ｃ）は、ホルダーにおける接続部を示す概略構成斜視説明図であり、また、図３（ｄ）は、ホルダーにおける固定部を示す概略構成斜視説明図である。
【図４】図４（ａ）（ｂ）は、固定部の動きを示した概略説明図であり、また、図４（ｃ）（ｄ）は、ホルダーによりコードとプラグコードとを束ねた状態のイヤホンを示す概略斜視説明図である。
【図５】図５（ａ）は、イヤホンのコード部分を折り畳み、所望のサイズにした状態を示す概略斜視説明図であり、また、図５（ｂ）は、所望のサイズにしたイヤホンをバンドによりまとめた状態を示す概略斜視説明図であり、また、図５（ｃ）は、イヤホンのコード部分を対象機器に巻き付けた状態を示す概略斜視説明図であり、また、図５（ｄ）は、対象機器に巻き付けた状態のイヤホンをバンドにより固定した状態を示す概略斜視説明図である。
【図６】図６は、本発明の第２の実施の形態によるイヤホンの概略構成説明図である。
【図７】図７（ａ）は、本発明の第２の実施の形態によるイヤホンの要部を拡大した概略構成斜視説明図であり、また、図７（ｂ）は、図７（ａ）のホルダーの端面図である。
【図８】図８は、ホルダーの接続部にコードを載置した状態を示す概略斜視説明図であり、また、図８（ｂ）は、ホルダーによりコードとプラグコードとを束ねた状態を示す概略斜視説明図であり、また、図８（ｃ）は、ホルダーによりコードとプラグコードとを束ねたの状態のイヤホンを示す概略斜視説明図である。
【図９】図９（ａ）は、装飾具の変形例を示す概略構成斜視説明図であり、また、図９（ｂ）は、装飾具の変形例の使用状態を示し説明図である。
【図１０】図１０（ａ）は、本発明による第１の実施の形態の変形例を示す概略斜視説明図であり、また、図１０（ｂ）は、図１０（ａ）における接続部の概略構成斜視説明図であり、また、図１０（ｃ）は、本発明による第２の実施の形態の変形例を示す概略斜視説明図である。
【図１１】図１１は、本発明による第２の実施の形態の変形例を示す概略斜視説明図である。
【図１２】図１２は、本発明による変形例を示す概略構成説明図である。
【発明を実施するための形態】
【００２５】
以下、添付の図面を参照しながら、本発明によるイヤホンの実施の形態の一例を詳細に説明するものとする。
【００２６】
なお、以下の説明においては、図１を参照しながら説明した従来のイヤホンと同一または相当する構成については、上記において用いた符号と同一の符号を用いて示すことにより、その詳細な構成ならびに作用効果の説明は適宜に省略することとする。
【００２７】
まず、図２乃至図３を参照しながら、本発明によるイヤホンの第１の実施の形態について説明する。
【００２８】
図２には、本発明の第１の実施の形態によるイヤホンの概略構成説明図が示されており、また、図３（ａ）には、図２の要部を拡大した概略構成斜視説明図が示されており、また、図３（ｂ）には、図３（ａ）のホルダーの端面図が示されており、また、図３（ｃ）には、ホルダーにおける接続部の概略構成斜視説明図が示されており、また、図３（ｄ）には、ホルダーにおける固定部の概略構成斜視説明図が示されている。
【００２９】
この図２に示す、本発明の第１の実施の形態によるイヤホン１０は、プラグ１０２が接続されているプラグコード１０４の一方の端部１０４ａの近傍にホルダー１２が設けられるとともに、プラグコード１０４に一体的に設けられたバンド１４が設けられており、こうした点において、イヤホン１００、２００とは異なっている。
【００３０】
より詳細には、ホルダー１２は、ゴムなどの弾性部材より形成されるとともにプラグコード１０４に接続される接続部１２−１と、超弾性効果を有する形状記憶合金材料、所謂、超弾性形状記憶合金材料により形成されている固定部１２−２と、固定部１２−２の一方の端部１２−２ａ側に設けられた装飾具１２−３とにより構成されている（図３（ａ）（ｂ）を参照する。）。
【００３１】
この接続部１２−１は、固定部１２−２と対向する側面側において凹部１２−１ａが形成された略楕円筒形状であり、プラグコード１０４が通る孔部１２−１ｂが形成されるとともに、固定部１２−２を挿入する挿入孔１２−１ｃが形成されている（図３（ｃ）を参照する。）。
【００３２】
また、固定部１２−２は、略Ｕ字形状であって、例えば、常温で元の形状に戻る超弾性形状記憶合金材料より形成され、一方の端部１２−２ａの表面１２−２ｂに装飾具１２−３が接着固定され、他方の端部１２−２ｃを接続部１２−１に設けられた挿入孔１２−１ｃに挿入した後に接着剤などによって固定することにより、接続部１２−１に固定部１２−２が固定的に配設される（図３（ｄ）を参照する。）。
【００３３】
さらに、バンド１４はゴム製であり、イヤホン１０の略中央部分に固定的に配設されている。
【００３４】
以上の構成において、まず、プラグ１０２を携帯用音楽再生機器などの対象機器から取り外し、小さくまとめて収納する場合には、ホルダー１２の固定部１２−２を矢印Ａ方向に押し上げ（図４（ａ）を参照する。）、固定部１２−２と接続部１２−１との間の空間を大きく形成した後（図４（ｂ）に示す状態。）、プラグ１０２にイヤホン本体１０８、１１０を近づけ、イヤホン本体１０８が接続されているコード１１２の一方の端部１１２ａおよびイヤホン本体１１０が接続されているコード１１４の一方の端部１１４ａの近傍を、固定部１２−２と接続部１２−１との間に形成した空間内に載置する。
【００３５】
すると、固定部１２−２は、常温で元の形状に戻る超弾性形状記憶合金材料により形成されているため、超弾性効果と形状記憶効果とにより、イヤホン１０を使用している環境下において、元の状態（図４（ａ）に示す状態。）に戻る、つまり、一方の端部１２−２ａが矢印Ｂ方向に移動することによって（図４（ｂ）を参照する。）、固定部１２−２と接続部１２−１とによりコード１１２、１１４を挟持する。
【００３６】
このため、図４（ｃ）（ｄ）に示すように、コード１１２、１１４とプラグコード１０４とが束ねられる。
【００３７】
こうした状態で、さらに、コード１１２、１１４とプラグコード１０４とからなるコード部分を数回折り畳み、所望のサイズにした後（図５（ａ）を参照する。）に、折り畳んだコード部分をバンド１４によって留め（図５（ｂ）を参照する。）、イヤホン１０を小さくまとめる。
【００３８】
また、プラグ１０２を携帯用音楽再生機器などの対象機器から取り外さずに、当該対象機器に巻き付けて収納する場合には、上記したプラグ１０２を携帯用音楽再生機器などの対象機器から取り外し、小さくまとめて収納する場合と同様にして、コード１１２、１１４とプラグコード１０４とを束ねる。
【００３９】
次に、コード１１２、１１４とプラグコード１０４とからなるコード部分を対象機器に巻き付け（図４（ｃ）を参照する。）、巻き付けたコード部分と対象機器とをバンド１４によって留める（図４（ｄ）を参照する。）。
【００４０】
このように、イヤホン１０においては、コード１１２、１１４とプラグコード１０４とをホルダー１２により束ねるようにしているため、コード１１２、コード１１４およびプラグコード１０４が互いに絡まることがなくなる。
【００４１】
さらに、バンド１４によって、ホルダー１２により束ねられたコード１１２、１１４およびプラグコード１０４からなるコード部分を数回折り畳み所望のサイズにしてコード部分を留めるようにしているため、収納時にコード部分が動いてコード１１２、コード１１４およびプラグコード１０４が互いに絡まることがなくなる。
【００４２】
従って、イヤホン１０においては、プラグコード１０４上に固定的に配設されたホルダー１２によりコード１１２、１１４およびプラグコード１０４を束ねるようにしているため、コード１１２、１１４およびプラグコード１０４を傷つけることなく束ねることができる。
【００４３】
また、イヤホン１０においては、従来の技術によるイヤホン２００と同様に、コード１１２とコード１１４との絡まりを防止することができるとともに、さらに、コード１１２、１１４とプラグコード１０４との絡まりも防止することができる。
【００４４】
さらに、イヤホン１０においては、収納時には、収納の状況によって異なった状態でまとめたコード部分をバンド１４により留めるので、収納時にコード部分が動いてコード１１２、コード１１４およびプラグコード１０４が互いに絡まることがなくなる。
【００４５】
次に、図６乃至図７を参照しながら、本発明によるイヤホンの第２の実施の形態について説明する。
【００４６】
なお、以下の説明においては、図１を参照しながら説明した従来のイヤホンおよび図２乃至図３を参照しながら説明した本発明によるイヤホンの第１の実施の形態と同一または相当する構成については、上記において用いた符号と同一の符号を用いることにより、その構成ならびに作用の詳細な説明は適宜に省略することとする。
【００４７】
図６には、本発明による第２の実施の形態によるイヤホンの概略構成説明図が示されており、また、図７（ａ）には、図６の要部を拡大した概略構成斜視説明図が示されており、また、図７（ｂ）には、図７（ａ）のホルダーの端面図が示されている。
【００４８】
この図６に示す本発明の第２の実施の形態によるイヤホン２０は、プラグ１０２が設けられているプラグコード１０４の一方の端部１０４ａの近傍に、ホルダー１２に変えて、ホルダー２２が設けられている点において、本発明の第１の実施の形態によるイヤホン１０とは異なっている。
【００４９】
より詳細には、ホルダー２２は、プラスチックなどの樹脂材料より形成されるものであって、プラグコード１０４に接続される接続部２２−１と、接続部２２−１と一体的に形成された固定部２２−２とにより構成されている（図６（ａ）（ｂ）を参照する。）。
【００５０】
この接続部２２−１は、固定部２２−２と対向する側面側において凹部２２−１ａが形成された略楕円筒形状であり、プラグコード１０４が通る孔部２２−１ｂが形成されるとともに、固定部２２−２を固定するための凸部２２−１ｃが形成されている。
【００５１】
また、固定部２２−２は、略円弧形状であって、一方の端部２２−２ａにおいて接続部２２−１と一体的に接続されており、他方の端部２２−２ｂの近傍において接続部２２−１に形成された凸部２２−１ｃを挿入するための挿入孔２２−２ｃが形成されている。
【００５２】
以上の構成において、プラグ１０２を携帯用音楽再生機器などの対象機器から取り外し、小さくまとめて収納する場合には、プラグ１０２にイヤホン本体１０８、１１０を近づけ、イヤホン本体１０８が接続されているコード１１２の一方の端部１１２ａおよびイヤホン本体１１０が接続されているコード１１４の一方の端部１１４ａの近傍を、ホルダー２２の接続部２２−１の凹部２２−１ａ上に載置する（図８（ａ）を参照する。）。
【００５３】
そして、固定部２２−２を矢印Ｃ方向に押し下げ、固定部２２−２に形成された挿入孔２２−２ｃに接続部２２−１に形成された凸部２２−１ｃを嵌合させることにより、固定部２２−２を接続部２２−１に固定されることとなり、接続部２２−１の凹部２２−１ａ上に載置されたコード１１２、１１４が固定部２２−２と接続部２２−１とによって挟持される（図８（ｂ）を参照する。）。
【００５４】
これにより、図８（ｃ）に示すように、コード１１２、１１４とプラグコード１０４とが束ねられる。
【００５５】
こうした状態で、上記した第１の実施の形態によるイヤホン１０と同様にして、コード１１２、１１４とコードプラグ１０４とからなるコード部分を数回折り畳んで所望のサイズにした後に、折り畳んだコード部分をバンド１４によって留め、イヤホン１０を小さくまとめる。
【００５６】
また、プラグ１０２を携帯用音楽再生機器などの対象機器から取り外さずに、当該対象機器に巻き付けて収納する場合には、上記したプラグ１０２を携帯用音楽再生機器などの対象機器から取り外し、小さくまとめて収納する場合と同様にして、コード１１２、１１４とプラグコード１０４とを束ね、コード１１２、１１４とプラグコード１０４とからなるコード部分を対象機器に巻き付けた後、巻き付けたコード部分と対象機器とをバンド１４によって留めるようにする。
【００５７】
このように、イヤホン２０においては、コード１１２、１１４とプラグコード１０４とをホルダー２２により束ねるようにしたいるため、コード１１２、コード１１４およびプラグコード１０４が互いに絡まることがなくなる。
【００５８】
さらに、バンド１４によって、ホルダー２２により束ねられたコード１１２、１１４およびプラグコードからなるコード部分を数回折り畳み所望のサイズにしてコード部分を留めるようにしているため、収納時にコード部分が動いてコード１１２、コード１１４およびプラグコード１０４が互いに絡まることがなくなる。
【００５９】
従って、イヤホン２０においては、プラグコード１０４上に固定的に配設されたホルダー２２によりコード１１２、１１４およびプラグコード１０４を束ねるようにしているため、コード１１２、１１４およびプラグコード１０４を傷つけることなく束ねることができる。
【００６０】
また、イヤホン２０においては、従来の技術によるイヤホン２００と同様に、コード１１２とコード１１４との絡まりを防止することができるとともに、さらに、コード１１２、１１４とプラグコード１０４との絡まりも防止することができる。
【００６１】
さらに、イヤホン２０においては、収納時には、収納の状況によって異なった状態でまとめたコード部分をバンド１４により留めるので、収納時にコード部分が動いてコード１１２、コード１１４およびプラグコード１０４が互いに絡まることがなくなる。
【００６２】
また、上記においては、プラグ１０２を携帯用音楽機器などの対象機器から外して、小さくまとめて収納する場合と、プラグ１０２を携帯用音楽再生機器などの対象機器から外さずに、当該対象機器に巻き付けて収納する場合とについて説明したが、プラグ１０２を携帯用音楽再生機器などの対象機器から取り外し、当該対象機器に巻き付けて収納する場合も、上記において説明した場合と同様にして、コードを束ねたり、留めたりすることにより、同様の効果を得ることができることは勿論である。
【００６３】
なお、上記した実施の形態は、以下の（１）乃至（１１）に示すように変形することができるものである。
【００６４】
（１）上記した実施の形態においては、ホルダー１２の装飾具１２−３の形状を、ハート形状としたが、これに限られるものではないことは勿論であり、装飾具１２−３を、各種の形状、キャラクターなどをデザインした形状、所定の形状のものにキャラクターなどが描かれたものなど、任意のデザインの形状や、所定の形状のものに任意のデザインが描かれたものなどとしてもよい。
【００６５】
（２）上記した実施の形態においては、ホルダー１２では、装飾具１２−３を固定部１２−２の表面１２−２ｂに接着固定するようにしたが、これに限られるものではないことは勿論であり、例えば、装飾具１２−３に板バネ１２−３ａを設けるようにして装飾具１２−３が固定部１２−２に着脱可能とするようにしてもよい（図９（ａ）（ｂ）を参照する。）。
【００６６】
（３）上記した実施の形態においては、ホルダー１２の固定部１２−２を超弾性形状記憶合金材料により形成されるようにしたが、これに限られるものではないことは勿論であり、固定部１２−２を、単に、弾性を有する金属としてもよい。
【００６７】
また、固定部１２−２をスチールワイヤーにより形成するようにしてもよく、固定部１２−２をスチールワイヤーにより形成しても、固定部１２−２と接続部１２−１とによってコード１１２、１１４を固定することができ、コード１１２、１１４とプラグコード１０４とを容易に束ねることができる。
【００６８】
（４）上記した実施の形態においては、ホルダー１２において、装飾具１２−３を設けるようにしたが、装飾具１２−３を設けないようにしてもよいことは勿論である。
【００６９】
（５）上記した実施の形態においては、ホルダー１２において、接続部１２−１を略楕円筒形状とし、固定部１２−２を略Ｕ字形状とし、接続部１２−１に設けられた挿入孔１２−１ｃに固定部１２−２を挿入して固定部１２−２を接続部１２−１に固定するようにしたが、これに限られるものではないことは勿論であり、接続部１２−１の形状ならびに固定部１２−２の形状を上記において説明した形状以外の形状にしたり、接続部１２−１と固定部１２−２との固定の手法を上記において説明した手法以外の手法にしてもよく、要は、ホルダー１２の形状が、接続部１２−１に固定的に配設された固定部１２−２とプラグコード１０４に配設された接続部１２−１とによりコード１１２、１１４を挟持することができる形状であればよい。
【００７０】
同様に、ホルダー２２においても、接続部２２−１ならびに固定部２２−２を上記において説明した形状以外の形状としたり、接続部２２−１と固定部２２−２との接続状態を上記しおいて説明した接続状態以外の接続状態としてもよい。
【００７１】
（６）上記した実施の形態においては、ホルダー１２における接続部１２−１では、プラグコード１０４を孔部１２−１ｂに通すことによって、プラグコード１０４上にホルダー１２を設けており、また、ホルダー２２における接続部２２−１では、プラグコード１０４を孔部２２−１ｂに通すことによって、プラグコード１０４上にホルダー２２を設けるようにしているが、それぞれ図１０（ａ）（ｂ）および図１０（ｃ）に示すようにして接続部をプラグコード１０４に着脱可能となるように形成してもよいことは勿論である。
【００７２】
（７）上記した実施の形態においては、ホルダー２２の接続部２２−１に凹部２２−１ａを設けるとともに、固定部２２−２を略円弧形状とするようにしたが、接続部２２−１および固定部２２−２の形状は、こうした形状に限定されるものではないことは勿論であり、図１１に示すような形状としてもよい。
【００７３】
（８）上記した実施の形態においては、バンド１４をプラグコード１０４と一体的に設けられるようにしたが、バンド１４を別体としてプラグコード１０４に設けるようにしてもよいことは勿論である。
【００７４】
このように、バンド１４を別体としてプラグコード１０４に設けることにより、バンド１４を使用しやすい位置にずらして使用することができるようになる。
【００７５】
（９）上記した実施の形態においては、バンド１４をイヤホン１０またはイヤホン２０の略中央部分に設けるようにしたが、これに限られるものではないことは勿論であり、プラグコード１０４とコード１１２、１１４との長さのによって、プラグコード１０４の任意の位置に設けるようにしてもよい。
【００７６】
（１０）上記した実施の形態においては、分岐部１０６において分岐されたコード１１２、１１４がイヤホン本体１０８、１１０に接続するようにしたが、コード１１２、１１４に変えて、通電性の超弾性形状記憶合金材料により形成されるとともに一部がコイル状に形成されたコード１１２’、１１４’を用いるようにしてもよい（図１２（ａ）を参照する。）。
【００７７】
この際、例えば、分岐部１０６に錘などを設けたり（図１２（ｂ）を参照する。）、コード１１２’、１１４のコイル部分に錘を設けたりする（図１２（ｃ）を参照する。）ことにより、イヤホンを使用する場合には、イヤホン本体１０８、１１０を指先でつまみ上げることで、錘の重量によりコード１１２’、１１４’のコイル部分が伸び、コード１１２’、１１４’が長くなった状態で使用することができ、イヤホンの使用をやめる場合には、イヤホン本体１０８、１１０を耳から外すことで、コード１１２’、１１４’の超弾性効果または形状記憶効果により伸びていたコイル部分がコイル形状に戻りコード１１２’、１１４’の長さが短くなる。
【００７８】
このように、コード１１２’、１１４’を用いることによって、ホルダー１２またはホルダー２２によりコード１１２’、１１４’とプラグコード１０４とを束ねたときに、コード１１２’、１１４’の長さが短いので、コード１１２’とコード１１４’とプラグコード１０４とがより絡まないようになる。
【００７９】
また、この場合、分岐部１０６やコード１１２’、１１４’のコイル部分に錘を設けるようにするのではなく、分岐部１０６自体をコード１１２’、１１４’のコイル部分が伸びる程度の重量を有するように形成するようにしてもよい。
【００８０】
さらに、コード１１２’、１１４’を通電性の超弾性形状記憶合金材料ではなく、銅線と非通電性の安価な形状記憶合金材料とを抱き合わせ、絶縁体で被覆するようにして形成して、コード１１２’、１１４’の生産コストの低減を図るようにしてもよい。
【００８１】
（１１）上記した実施の形態ならびに上記した（１）乃至（１０）に示す変形例は、適宜に組み合わせるようにしてもよい。
【産業上の利用可能性】
【００８２】
本発明は、携帯用音楽再生機器などのイヤホンとして利用して好適なものである。
【符号の説明】
【００８３】
１０、２０、１００、２００        イヤホン
１２、２２、２０２        ホルダー
１４        バンド
１０２      プラグ
１０４      プラグコード
１０６      分岐部
１０８、１１０      イヤホン本体
１１２、１１４      コード
【図１】
2011082884.tif 000003
【図２】
2011082884.tif 000004
【図３】
2011082884.tif 000005
【図４】
2011082884.tif 000006
【図５】
2011082884.tif 000007
【図６】
2011082884.tif 000008
【図７】
2011082884.tif 000009
【図８】
2011082884.tif 000010
【図９】
2011082884.tif 000011
【図１０】
2011082884.tif 000012
【図１１】
2011082884.tif 000013
【図１２】
2011082884.tif 000014